(57)【要約】【課題】  色変調及び輝度変調を好適に行える電気光学装置を提供する。【解決手段】プロジェクタ１は、所定の電気信号に基づいて、その光学的特性が変化する液晶パネル（２０）と、複数種類の色の光を各別に発光可能なレーザ光源（１１Ｒ，１１Ｇ，１１Ｂ）とを備える。そして、前記レーザ光源は、入力画像信号に含まれる色情報に基づいて、表示しようとする画像の色を調整し、前記液晶パネルは、前記光学的特性の変化に基づき前記レーザ光源から発せられた光の全部又は一部を透過させ又は遮断しつつ、前記入力画像信号に含まれる輝度情報に基づいて、前記画像の輝度を調整する。【選択図】図１
2010066538.tif 000002
【特許請求の範囲】
【請求項１】
所定の電気信号に基づいて、その光学的特性が変化する電気光学パネルと、
複数種類の色の光を各別に発光可能なレーザ光源と、
前記レーザ光源及び前記電気光学パネルのそれぞれに供給される色情報及び輝度情報を入力画像信号に基づいて算出する信号分離手段と、
を備え、
前記レーザ光源は、
前記色情報に基づいて、表示しようとする画像の色を調整し、
前記電気光学パネルは、
前記光学的特性の変化に基づき前記レーザ光源から発せられた光の全部又は一部を透過させ又は遮断しつつ、前記輝度情報に基づいて、前記画像の輝度を調整する、
ことを特徴とする電気光学装置。
【請求項２】
前記レーザ光源は、
前記電気光学パネル上の画素のそれぞれに対して、前記光を照射する、
ことを特徴とする請求項１に記載の発光装置。
【請求項３】
前記レーザ光源は、
前記電気光学パネルに対して、前記複数種類の色の光を、順次に照射する、
ことを特徴とする請求項１又は２に記載の発光装置。
【請求項４】
前記レーザ光源は、
前記電気光学パネルに対して、前記複数種類の色の光を、同時に照射する、
ことを特徴とする請求項１又は２に記載の発光装置。
【請求項５】
前記電気光学パネルの光学的特性は、
所定の電位が与えられることによって、その光学的特性が変化する電気光学物質を当該電気光学パネルが含むことによって、変化可能であり、
当該電気光学物質は、液晶を含む、
ことを特徴とする請求項１乃至４のいずれか一項に記載の電気光学装置。
【請求項６】
前記レーザ光源と前記電気光学パネルとの間に、前記レーザ光源から発せられた光の偏光状態を調整する偏光変換素子を更に備える、
ことを特徴とする請求項５に記載の電気光学装置。
【請求項７】
前記電気光学パネルは、
前記レーザ光源から発せられた光の全部又は一部を反射するミラーを含み、かつ、
前記輝度情報に基づいて、前記ミラーの姿勢を変更して当該ミラーによる前記光の反射割合を変更することで、前記画像の輝度を調整し、
当該電気光学パネルの光学的特性は、
所定の電気信号に基づいて、前記ミラーの、前記光の入射方向に対する姿勢が変化することによって、変化可能である、
ことを特徴とする請求項１乃至４のいずれか一項に記載の電気光学装置。
【請求項８】
前記輝度情報は、
前記電気光学パネルが所定期間ごとに前記光の全部を遮断するような情報を含む、
ことを特徴とする請求項１乃至７のいずれか一項に記載の電気光学装置。
【請求項９】
請求項１乃至８のいずれか一項に記載の電気光学装置と、
当該電気光学装置を経た光を投射する投射光学系と、
を備えることを特徴とするプロジェクタ。
【発明の詳細な説明】
【技術分野】
【０００１】
本発明は、液晶等の電気光学物質等を備える電気光学装置及びプロジェクタに関する。
【背景技術】
【０００２】
従来、液晶プロジェクタが提供されている。この液晶プロジェクタは、光源、ライトバルブとしての液晶装置、及び当該液晶装置を透過してきた光をスクリーン上に投射するための投射光学系、等からなる。このうち、液晶装置は、液晶分子を含む液晶層を相対向する２つの電極で挟んだ構造を有する液晶素子をもつ。前記２つの電極間に適当な電位差が設定されると、液晶分子の配向状態は変化し、これにより当該液晶素子を透過する光の割合（透過率）が変化する。
【０００３】
このような液晶素子がマトリクス状に配列され、かつ、それら１個１個の液晶素子についての光の透過率が適当に制御されれば、光源からの光は、その制御された透過率に従ってライトバルブたる液晶装置を通過することになるから、スクリーン上には所望の意味内容を持つ画像が表示され得ることになる。
また、このような液晶素子を備えた液晶装置が、例えば、赤色（Ｒ）、緑色（Ｇ）、及び青色（Ｂ）等の各色別のライトバルブとして用意され、かつ、それらのライトバルブを透過した光を適当な方法によって合成するならば、カラー画像の表示も可能になる。
【０００４】
このような液晶プロジェクタとしては、例えば特許文献１に開示されているようなものが知られている。また、上述したような、光源、ライトバルブ、投射といった一連の流れによって、所望の意味内容をもつ画像を形成する原理は、液晶プロジェクタのみに用いられるわけではなく、例えば特許文献２に開示されているように、「高解像度画像印刷方法」（特許文献２の「発明の名称」から抜粋）に対しても適用可能である。
【特許文献１】特開２００８−１５８１９０号公報
【特許文献２】特開２００１−２２８５５３号公報
【発明の開示】
【発明が解決しようとする課題】
【０００５】
ところで、上述のような液晶プロジェクタにおいては、彩り豊かな外界の状況を十分に再現できていない、あるいは、表示しようとする画像の発色性能の向上にはまだまだ改善の余地があるという問題がある。
例えば、前述した各色別のライトバルブを用いたカラー画像表示では、Ｒ用ライトバルブ、Ｇ用ライトバルブ及びＢ用ライトバルブそれぞれに対応する３つの液晶装置を構成する各液晶素子の透過率を、適当な具体的な定数に設定する、等という駆動制御が行われる。
【０００６】
しかし、この場合、比ゆ的にいえば、１００−α〔％〕，１００−β〔％〕及び１００−γ〔％〕分の光の損失、即ち明度（ないしは輝度）の低下が必然的に伴う、ということがいえる。ここで、α、β、γとは、Ｒ用ライトバルブ、Ｇ用ライトバルブ及びＢ用ライトバルブのそれぞれに関し、かつ、そのそれぞれがもつ、ある１個の液晶素子に関する透過率を意味している（例えば、Ｒ用ライトバルブの各液晶素子は、表示しようとする画像の内容に応じて、適宜、その透過率が調整されることになるが、“α”とは、そのようなＲ用ライトバルブの、ある時点における、ある１個の液晶素子の透過率を表している。“β”及び“γ”は、この“α”の液晶素子に対応する、Ｇ用ライトバルブ及びＢ用ライトバルブそれぞれの中の、ある１個の液晶素子の透過率を表している。）。
【０００７】
つまり、このような場合におけるカラー画像表示では、一般に、ある色から他の色への変調を行うとすると、色合いを調整するために明度が犠牲になり、あるいは、明度を調整したいだけなのに色合いが損なわれる、などということが生じるのである（例えば、明度を落とすために前述のα乃至γの値がある好適な値となるべく、各ライトバルブを構成する液晶素子の透過率を定めたが、表示画像全体は、図らずも青みがかってしまった、などということが生じ得る。）。
要するに、前述のような発色態様の調整では、明度と色合いの双方の調整が、前記ライトバルブを透過する光の量を調整することのみを通じて行われるために、一方の要請を満たそうとすると、他方の要請が満たされない、という不具合が生じるおそれが常にあるのである。
【０００８】
前述した特許文献１及び２は、そもそも、このような問題に対処しようとする意識はもっていないようである（例えば、特許文献１の〔図１〕、あるいは特許文献２の〔図１〕等参照）。
【０００９】
本発明は、上述した課題の少なくとも一部を解決することの可能な電気光学装置、及びそれを備えたプロジェクタを提供することを課題とする。
【課題を解決するための手段】
【００１０】
本発明に係る電気光学装置は、上述した課題を解決するため、所定の電気信号に基づいて、その光学的特性が変化する電気光学パネルと、複数種類の色の光を各別に発光可能なレーザ光源と、前記レーザ光源及び前記電気光学パネルのそれぞれに供給される色情報及び輝度情報を入力画像信号に基づいて算出する信号分離手段と、を備え、前記レーザ光源は、前記色情報に基づいて、表示しようとする画像の色を調整し、前記電気光学パネルは、前記光学的特性の変化に基づき前記レーザ光源から発せられた光の全部又は一部を透過させ又は遮断しつつ、前記輝度情報に基づいて、前記画像の輝度を調整する。
【００１１】
本発明によれば、レーザ光源が、純粋な意味における色度あるいは色味の調整ないし変調だけを行い、電気光学パネルは、輝度の調整ないし変調だけを行うことが可能となるので、色再現を十分に行いながら、なお輝度調整をも十分に行うことが可能になる。すなわち、本発明によれば、色合いを調整するために輝度が犠牲になり、明度を調整したいだけなのに色合いが損なわれる、などといった事象の発生について殆ど心配する必要がない。
【００１２】
なお、本発明にいう「レーザ光源」は、前記種類の数に応じた複数のレーザ発振器、あるいはレーザ素子を含む態様であってもよいし、あるいは、レーザ発振器、あるいはレーザ素子自体は１個であるが、その光路途上に、対応色切換可能なカラーフィルタ、あるいはいわゆるカラー・ホイール等の着色手段を備える態様であってもよい。このような場合であっても、本発明にいう「レーザ光源」が、「複数種類の色の光を各別に発光可能」であることに含まれる。
また、本発明にいう「電気光学パネル」は、液晶装置等を含み、その場合における「電気光学パネル」は、第１及び第２電極、これらに挟持される液晶層からなる液晶素子、等々を含む。この構成では、第１及び第２電極によって液晶層に与えられる電位の大きさに応じて、その透過率が変化することをもって、当該「電気光学パネル」の「光学的特性」が変化する、ということになる。
【００１３】
この発明の電気光学装置では、前記レーザ光源は、前記電気光学パネル上の画素のそれぞれに対して、前記光を照射する、ように構成してもよい。
この態様によれば、本発明に係る電気光学装置は、例えば以下のように動作する。すなわち、（１）レーザ光源は、その発する光の強度等の調整を通じて、色調整ないし変調を行う、（２）この光が、電気光学パネル上のある１個の画素の上に照射される、（３）電気光学パネルは、当該画素におけるこの入射光に関する透過率の調整を通じて、輝度調整ないし輝度変調を行う、（４）以上の（１）〜（３）までの動作が、電気光学パネル上の全画素について行われる、というようである。
このようなことから、本態様によれば、前述した本発明に係る効果がより実効的に奏される。
なお、本態様にいう「画素」は、例えば、前述のように本発明に係る「電気光学装置」が「液晶装置」を含む場合には、前記液晶素子がマトリクス状配列に従って並べられた場合における、それら液晶素子の１個１個に概ね該当する。
【００１４】
また、本発明の電気光学装置では、前記レーザ光源は、前記電気光学パネルに対して、前記複数種類の色の光を、順次に照射する、ように構成してもよい。
この態様によれば、例えば、「複数種類の色」が、赤色（Ｒ），緑色（Ｇ），青色（Ｂ）の３色であると仮定した場合、第１に、適当な色変調を受けた赤色光が前記電気光学パネルに入射し、以後同じく、第２に、緑色光が、第３に、青色光が、それぞれ前記電気光学パネルに入射する。この場合更に、前述の「画素」を単位とした光照射が行われるのであれば、前記第１の工程では、そのような画素単位の光照射であって全画素に対する光照射（これは、“走査を伴う光照射”とも言い換えられ得る。）が行われ、第２及び第３の工程でも以後同様の光照射が行われ得ることになる。そして、これにより、加法混色の原理に従った各色の合成が、視認者の網膜上で実現される。
以上のようにして、本態様によれば、前述した本発明に係る効果、即ち色調整・輝度調整のいずれもが十分に行われることを前提とした上での、高品質画像の視認が可能になる。
【００１５】
また、本発明の電気光学装置では、前記レーザ光源は、前記電気光学パネルに対して、前記複数種類の色の光を、同時に照射する、ように構成してもよい。
この態様によれば、例えば、「複数種類の色」が、赤色（Ｒ），緑色（Ｇ），青色（Ｂ）の３色であると仮定するとともに、前述の「画素」を単位とした光照射が行われる場合を仮定すると、第１に、ＲＧＢ全色の光が前記電気光学パネル上のある特定の一画素に入射し、以後同じく、光が入射すべき画素の位置の変更を伴いながら、当該画素に対するＲＧＢ全色の光の入射が行われる。ただし、この場合、「ＲＧＢ全色の光の入射」とはいっても、例えば、ある画素ではＲ色のみの表示が予定されているという場合には、Ｇ色・Ｂ色の光の入射は当然行われない。言うまでもないが、本態様にいう「複数種類の色の光を、同時に照射する」には、そのような場合を含意する（つまり、全種類の光の入射が“必ず”必要だと考えるのは間違いだということである。）。
そして、このような態様によれば、電気光学パネルの応答速度を高めることができる。これは、例えば、前述の「順次」照射の場合では、Ｒ，Ｇ，Ｂの３色による光照射が行われるまでは、電気光学パネルに係る、ある所定の輝度調整状態を一定に維持しておく必要があるのに対して、本態様では、そのような必要がないからである。
このことは、より高品質な画像を表示することに大きく資する。
【００１６】
また、本発明の電気光学装置では、前記電気光学パネルの光学的特性は、所定の電位が与えられることによって、その光学的特性が変化する電気光学物質を含むことによって、変化可能であり、当該電気光学物質は、液晶を含む、ように構成してもよい。
この態様によれば、「電気光学パネル」が、いわゆる液晶装置を含むことになるので、輝度調整ないし輝度変調が好適に行われうることになる。なお、この場合、「電気光学パネルの光学的特性」が「変化する」とは、“液晶に所定の電位が与えられることによって、その光透過率が変化する”という事態を含む。
【００１７】
この態様では、前記レーザ光源と前記電気光学パネルとの間に、前記レーザ光源から発せられた光の偏光状態を調整する偏光変換素子を更に備える、ように構成してもよい。
この態様によれば、液晶装置を含むところの電気光学パネルが偏光板等を含む場合、その偏光板を透過可能な光の総量を増大させることができる。このことは結局、当該電気光学パネルに対する光の入射量の、レーザ光源を発した全光量に対する割合を増大させることを意味する。
以上により、本態様によれば、装置全体の観点からする光の利用効率が高まるので、より高品質な画像の表示、あるいは低エネルギ駆動、等々の実現可能性が高まる。
【００１８】
また、本発明の電気光学装置では、前記電気光学パネルは、前記レーザ光源から発せられた光の全部又は一部を反射するミラーを含み、かつ、前記輝度情報に基づいて、前記ミラーの姿勢を変更して当該ミラーによる前記光の反射割合を変更することで、前記画像の輝度を調整し、当該電気光学パネルの光学的特性は、所定の電気信号に基づいて、前記ミラーの、前記光の入射方向に対する姿勢が変化することによって、変化可能である、ように構成してもよい。
この態様によれば、レーザ光源から発せられた光の入射方向に対する、ミラーの姿勢、あるいは角度が変わること、即ち当該ミラーによる光の反射率（光学的特性）が変わることで、結局、輝度は調整ないし変調され得ることになる。このような構成によっても、前述した本発明に係る効果が変わりなく奏される。
【００１９】
また、本発明の電気光学装置では、前記輝度情報は、前記電気光学パネルが所定期間ごとに前記光の全部を遮断するような情報を含む、ように構成してもよい。
この態様によれば、表示画像の１単位・１単位を仮に時系列に沿って並べて眺めるとするならば、その画像列には、前記所定期間ごとに“黒画像”が挟まれていくことになる。これにより、当該表示画像が例えば動画像であるような場合には、いわゆる動きボケの発生を抑制することが可能となる。
しかも、本態様では、そのような動きボケ発生防止という効果が、輝度情報の内容の変更・調整という、より簡易な手法に頼るだけで享受されるという点で、極めて有利である。
【００２０】
また、本発明のプロジェクタは、上記課題を解決するために、上述した各種の電気光学装置を備える。
本発明によれば、上述した各種の電気光学装置を備えてなるので、色及び輝度の調整が、それぞれ、レーザ光源及び電気光学パネルを通じて行われることになり、もって、より高品質の画像を表示することが可能である。
【発明を実施するための最良の形態】
【００２１】
以下では、本発明に係る実施の形態について図１乃至図３を参照しながら説明する。なお、ここに言及した図１乃至図３に加え、以下で参照する各図面においては、各部の寸法の比率が実際のものとは適宜に異ならせてある場合がある。
【００２２】
プロジェクタ１は、図１に示すように、レーザ光源１０、液晶パネル２０、偏光変換素子３０、及び投射レンズ４０等から構成される。プロジェクタ１は、これらの構成によって、１個の画像を表示することが可能であるが、この場合、レーザ光源１０は、本実施形態において当該画像の色調整ないし色変調用に、また、液晶パネル２０は、当該画像の輝度調整ないし輝度変調用にそれぞれ用いられる。このような作用関連の説明については、後に改めて触れることにする。
【００２３】
上述のうちレーザ光源１０は、例えばマトリクス状配列ないしはアレイ状配列、あるいは円形配列等々に従って並べられたレーザ素子（不図示）を含む。かかるレーザ素子は、図１に示すように、赤色発光用、緑色発光用及び青色発光用の３色の別に応じて設けられる（以下では、この順に、「赤色レーザ光源１１Ｒ」、「緑色レーザ光源１１Ｇ」、及び「青色レーザ光源１１Ｂ」と呼ぶことがある。図３参照）。このような各色別に発光可能なレーザ光源１０は、例えば、赤色、緑色及び青色の各レーザ光源（１１Ｒ，１１Ｇ，１１Ｂ）のそれぞれに応じて、異なるレーザ媒質をもつレーザ発振器を備えること等によって構成され得る。あるいは、例えば、赤色光を青色光に変換するための波長変換素子（不図示）を利用して、各色光を得る構成も考えられる。
いずれにせよ、本実施形態では、例えば、赤色レーザ光源１１Ｒからは赤色光が発せられ、これが、後述するように所定の光路に従って液晶パネル２０に導かれ、最終的には、画像を構成する光となる。緑色レーザ光源１１Ｇ及び青色レーザ光源１１Ｂについても同様である。
【００２４】
液晶パネル２０は、素子基板２１及び対向基板２２と、素子基板２１上に形成される各種の要素とを備えている。ここでいう各種の要素には、液晶素子Ｌｄ、スイッチング素子として機能するＴＦＴ（不図示）、あるいは、液晶素子Ｌｄへの電圧印加を好適に行うための蓄積容量素子（コンデンサ）（不図示）、等々が含まれる。
素子基板２１及び対向基板２２は、例えばガラスや石英、プラスチックなどの透光性材料で作られる。また、これら素子基板２１及び対向基板２２は、その各々の周辺部において、接着剤（不図示）によって接着されている。
【００２５】
液晶素子Ｌｄは、図２に示すような積層構造を備える。この積層構造は、画素電極２１３、液晶層ＬＱ、及び対向電極２５からなる。
【００２６】
画素電極２１３は、図２に示すように、素子基板２１上（図中観点では「下」。なお、図２において素子基板２１は不図示）、マトリクス状に配列するように形成されている。液晶素子Ｌｄがマトリクス状に配列されているということは、このように画素電極２１３がマトリクス状に配列されているということに相応する（図１参照）。
このような画素電極２１３は、例えばＩＴＯ等の透光性かつ導電性の材料から作られている。
対向電極２５は、対向基板２２上（図中観点でも「上」）、その全面を覆うかのようにして形成されている。この対向電極２５は、例えばＩＴＯ等の透光性かつ導電性の材料から作られている。
液晶層ＬＱは、上述した画素電極２１３及び対向電極２５の間に挟まれるように配置されている。より正確には、この液晶層ＬＱは、画素電極２１３及び対向電極２５の上にそれぞれ形成された配向膜（不図示）の間に挟まれるように配置されている。この配向膜の表面には、液晶層ＬＱを構成する液晶分子の初期配向状態を規制する配向処理が施されている。このような配向膜は、例えばポリイミド等の樹脂材料で作られている。なお、液晶層ＬＱは、正の誘電率異方性を有する液晶を用いたＴＮモードで動作する構成をとりうる。
【００２７】
以上のほか、本実施形態に係る液晶パネル２０は、反射層（不図示）を備える。この反射層は、図１に示すように、図中上面から入射し、前記液晶層ＬＱ等を透過してきた光を、再び、図中上方へ帰すべく反射する。
なお、この反射層は、場合によっては、前述した対向電極２５の機能を併せ持っていてよい（即ち、反射層、兼、対向電極としての一層を液晶パネル２０内に設ける。）この場合の対向電極２５は、前述のように透光性をもつ必要はなく、例えば光反射性能に比較的優れたアルミニウム等の金属材料から作られてよい。
以上と同じことは、画素電極２１３についてもいえる（即ち、反射層、兼、対向電極という構成も考えられないではない。この場合は、図１に示す各種構成要素中、液晶パネル２０の配置だけ、天地逆転（即ち、素子基板２１を図中下側に、対向基板２５を上側に）した構成を想定すればよい。）。
【００２８】
以上の構成を前提として、各液晶素子Ｌｄにつき画素電極２１３及び対向電極２５間の電位差が適当に設定されると、その間に挟持された液晶層ＬＱ内の液晶分子の配向状態が適当に変更される。これにより、レーザ光源１０からの出射光のうち観察側（図１では、紙面最上部）に透過する光量の割合（透過率）は画素電極２１３ごとに制御される。
なお、図示はしないが、図１に示す液晶パネル２０には、当該パネル２０を図中上下両側から挟みこむ２枚の偏光板が設置される。この偏光板は、レーザ光源１０から発せられた光を偏光させ、あるいは、液晶パネル２０を透過してきた光を偏光させる。これらの偏光板による偏光の方向は、液晶層ＬＱを透過する光が受ける偏光の方向に依存して決定される。
【００２９】
偏光変換素子３０は、例えば無偏光光をＳ偏光光及びＰ偏光光という２種類の偏光光に分離するための偏光分離素子（ＰＢＳ；Polarized Beam Splitter）、及び、前記２種類の偏光光のうちの一方を他方に変換するための選択位相差板、等を備える（いずれも不図示）。かかる構成により、偏光変換素子３０は、レーザ光源１０から発せられた無偏光の光を、前述の液晶パネル２０に備えられた偏光板を透過可能な偏光状態に変換することができる。このような偏光変換素子３０により、レーザ光源１０からの光の利用効率は極めて高められる。
【００３０】
スキャニングミラーＭｍは、前記変更変換素子３０及び液晶パネル２０間に配置される。このスキャニングミラーＭｍは、例えば駆動源としてガルバノアクチュエータ等を備え、例えば図示するように所定の軸を中心として揺動可能である。
レーザ光源１０から発せられた光は、このように揺動するスキャニングミラーＭｍによって反射されることで、液晶パネル２０上のＸＹ平面内を走査可能である。すなわち、当該光は、前述の液晶素子Ｌｄの１個１個について、個別的に照射されることが可能である。
【００３１】
投射レンズ４０は、液晶パネル２０を透過してきた光を、図中上方に向かって拡大投射する。この拡大投射された光は、図示しないスクリーン上で、画像を構成することになる。
以上から結局、本実施形態に係るプロジェクタ１では、レーザ光源１０を発した光は、順次、スキャニングミラーＭｍ、偏光変換素子３０、液晶パネル２０、偏光変換素子３０、投射レンズ４０を経て、スクリーン上に到達し、そこで画像を構成することになる（図１中の符号ＬＣが付された矢印、参照）。なお、この場合、レーザ光源１０を構成する前記の赤色、緑色及び青色の各レーザ光源（１１Ｒ，１１Ｇ，１１Ｂ）が、例えば時分割駆動されることで、それら各色のみからなる画像が時間的に相前後して視認者に到達するようなことがあっても、当該視認者は、その網膜上で上記各色以外の中間色を認識することが可能である（加法混色の原理）。
なお、前記の投射レンズ４０は、通常、そのそれぞれが所定形状をもつ複数枚のレンズからなるが、図１では簡単のため、円柱形状でもって、その全体を表現させている。
【００３２】
以上のほか、本実施形態に係るプロジェクタ１は、以下の各種の構成を備え得る。
すなわち、上述においてはその記載を概ね省略したが、レーザ光源１０とスキャニングミラーＭｍとの間、スキャニングミラーＭｍと変更変換素子３０の間、変更変換素子３０と液晶パネル２０との間、変更変換素子３０と投射レンズ４０との間、のそれぞれには、適宜、適切な１個以上のレンズ等からなる光学系が配置されてよい。
例えば、偏光変換素子３０及び投射レンズ４０間には、通常、いわゆるリレーレンズが備えられる。このリレーレンズは、例えば複数の凸レンズ及び凹レンズを含んで構成されるが、その形状及び曲率等を適宜設定することによって、当該リレーレンズに倍率調整機能及び焦点調整機能をもたせることができる。これにより、倍率色収差の発生を抑制することが可能になる。
【００３３】
次に、本実施形態に係るプロジェクタ１を駆動するための構成について、図３を参照しながら説明する。かかる構成は、同図に示すように、インターフェイス４０１、ＹＣ分離回路４０２、レーザ駆動回路１０１、ＬＱ駆動回路２０１、制御回路Ｃ、並びに制御対象としてのレーザ光源１０及び液晶パネル２０からなる。
【００３４】
インターフェイス４０１は、例えばＨＤＲ（HighDynamicRange）映像信号等の入力映像データを受け付け、これをＹＣ分離回路４０２に供給する。
ＹＣ分離回路４０２は、入力映像データに含まれる画素値Ｘ０（このＸ０は、例えば所定のビット数列等で表現される。）に基づいて、色変調用のレーザ光源１０を駆動制御するための制御値（即ち、色データ）Ｙｃと、輝度変調用の液晶パネル２０を駆動制御するための制御値（即ち、輝度データ）Ｙｂと、を算出する処理を行う（この算出処理については、後にも改めて触れる。）。
そうして、前者の色データＹｃは、レーザ駆動回路１０１内の色用のフレームメモリに格納され、後者の輝度データＹｂは、色変調用のＬＱ駆動回路２０１内の輝度用のフレームメモリに格納される（いずれのフレームメモリも不図示）。
【００３５】
レーザ駆動回路１０１は、前記色データＹｃに基づいて、レーザ光源１０を駆動する（図１も参照）。この場合、レーザ駆動回路１０１は、レーザ光源１０を構成する赤色レーザ光源１１Ｒ、赤色レーザ光源１１Ｇ、及び赤色レーザ光源１１Ｂのそれぞれを各別に駆動可能である。
ここで各別に駆動とは、例えば、これら各色のレーザ光源（１１Ｒ，１１Ｇ，１１Ｂ）が時分割駆動され得ることを意味する。すなわち、ある所定の期間中の第１期間で赤色レーザ光源１１Ｒが駆動され、続く第２期間で緑色レーザ光源１１Ｇが駆動され、最後の第３期間で青色レーザ光源１１Ｂが駆動される、などというようである（この点については、後に図５及び図６を参照しながら改めて説明する。）。
【００３６】
いずれにせよ、レーザ駆動回路１０１は、後述するスキャニングミラーＭｍの動作タイミング等と適当に同期をはかりながら、各色レーザ光源（１１Ｒ，１１Ｇ，１１Ｂ）による光照射が液晶素子Ｌｄの１個１個について行われるようにレーザ光源１０を駆動する。また、レーザ駆動回路１０１は、これと同時に、色データＹｃに基づき、主に各色レーザ光源（１１Ｒ，１１Ｇ，１１Ｂ）の発光強度の調整を通じて、色調整ないし色変調を行う。
なお、画素値Ｘ０からの前記色データＹｃの算出態様、あるいは画素値Ｘ０それ自体の構成をどのようにするか等については、以上述べたような観点が考慮される。
【００３７】
ＬＱ駆動回路２０１は、前記輝度データＹｂに基づいて、液晶パネル２０を駆動する（図１も参照）。このＬＱ駆動回路２０１は、液晶パネル２０に備えられた走査線２３及びデータ線２６のそれぞれを駆動するための回路を含む。これら走査線２３及びデータ線２６は、図３に模式的に示されているように、マトリクス状に配列された液晶素子Ｌｄの各行及び各列に対応するように配列されている。
これにより、各液晶素子Ｌｄは、例えば、走査線２３ごとに線順次に選択されることでデータ線２６を通じた前記輝度データＹｂの供給を受ける。液晶層ＬＱ内の液晶分子の配向状態は、当該輝度データＹｂに基づいて変更を受けるが、液晶素子Ｌｄは、これによって、レーザ光源１０由来の光の、当該液晶素子ＬＱに関する透過率を調整する（図１参照）。
【００３８】
制御回路Ｃは、本実施形態に係るプロジェクタ１全体の調和的な動作を司り、特に図３に示すように、スキャニングミラーＭｍの制御、並びにレーザ駆動回路１０１及びＬＱ駆動回路２０１の制御を通じて、これらの動作タイミングを同期させること等の各種の調整等を行う。
より具体的には、レーザ光源１０による液晶パネル２０に対する光照射は、スキャニングミラーＭｍを介して行われるため、このスキャニングミラーＭｍの姿勢変更タイミングと、レーザ光源１０を構成する各色レーザ光源（１１Ｒ，１１Ｇ，１１Ｂ）の発光タイミング、さらには１個の液晶素子Ｌｄの駆動終了時点とが、調和的でなければならない、等々の制約がある。制御回路Ｃは、かかる制約に配慮しながら、スキャニングミラーＭｍの姿勢制御を行い、なおかつ、レーザ駆動回路１０１及びＬＱ駆動回路２０１を通じて、レーザ光源１０及び液晶パネル２０の制御を行う。
もっとも、具体的な制御手法については、レーザ光源１０の具体的構成、スキャニングミラーＭｍの可動範囲等々の設定如何によって、上記以外にも様々なものがあり得る。本発明は、基本的に、どのような手法であっても、その範囲内に収める。
【００３９】
次に、以上に述べた本実施形態に係るプロジェクタ１の作用（特に、その動作の一例）及び効果について、既に参照した図１乃至図３に加えて、図４乃至図７を参照しながら説明する。なお、図４では、簡単のため、４個の液晶素子Ｌｄだけを用いた画像表示例が示されている（以下では、液晶素子Ｌｄの１個を（１個の）「画素」と呼ぶことがある。）。
【００４０】
まず、本実施形態に係るプロジェクタ１は、図４の最上段に示すように、画素値Ｘ０から算出された色データＹｃに基づき、赤色レーザ光ＲＬ、緑色レーザ光ＧＬ，及び青色レーザ光ＢＬでもって、１個の色を表現する。すなわち、図４では、図中左上隅及び左下隅の画素によって、色Ｃ１をもつ画像が表現され、図中右上隅及び右下隅の画素によって色Ｃ２をもつ画像が表現されている。
【００４１】
本実施形態における、このような色表現は、より詳細には以下のように行われる。
まず、図４に示す色Ｃ１、Ｃ２等々の表現は、より実際的には、加法混色の原理に従った、各色レーザ光源（１１Ｒ，１１Ｇ，１１Ｂ）の発光強度の調整を通じて行われる。例えば、色Ｃ１を表現するためには、赤色レーザ光源１１Ｒ、緑色レーザ光源１１Ｇ，青色レーザ光源１１Ｂそれぞれの発光強度が、具体的定数であるα１〔％〕，β１〔％〕，γ１〔％〕、等と設定される、等というようである（図４参照）。なお、この設定は、レーザ光源１０が、どのような種類のレーザ発振器からなるかにもよるが、より一般的に言えば、色データＹｃの具体的値の如何に基づき、レーザ媒質にどの程度の大きさのエネルギを与えるかによって調整可能である。
【００４２】
次に、このような加法混色は、本実施形態において図５及び図６に示すように行われる。すなわち、１個の単位的画像の表示に必要な時間を、仮に１フレーム期間と呼ぶとすると（図５の符号“ｆ”が指示する期間がそれに該当する。）、本実施形態では、この１フレーム期間中を３等分した場合の最初の期間が、赤色レーザ光源１１Ｒの発光期間として規定され、残る２つの期間が、順次、緑色レーザ光源１１Ｇ及び青色レーザ光源１１Ｂの発光期間として規定される。
【００４３】
このうち赤色レーザ光源１１Ｒの発光期間においては、図６の左方かつ最上段に示すように、液晶パネル２０の図中左上隅の画素に始まり、図中右下隅の画素まで、の光照射が順次に行われる（図６中の符号ｔ１及びｔ２が付された矢印参照）。このような走査照射は、上述したスキャニングミラーＭｍの揺動動作に基づいている。
そして、この場合、図６に示すように、各画素について、赤色レーザ光ＲＬを照射するかどうか、また、照射するとしてその強度をどうするか（即ち、前述したα１の具体的値をどうするか）が、色データＹｃに基づいて逐次調整される（なお、光の強弱の程度は、図６及び図４において表現されていない。）。
以降、緑色レーザ光源１１Ｇの発光期間、青色レーザ光源１１Ｂの発光期間も、上述と同様の走査照射が行われる。図６では、このような事情が、時間軸Ｔ１によって表現されている。
【００４４】
以上を要するに、本実施形態では、図中の時間軸Ｔ１の進行に従い、第１に赤色の単色画像が、第２に緑色の単色画像が、第３に青色の単色画像が順次構成されていく。そして、このような大きな流れを基本としながら、これら各単色画像の構成にあたっては、図６中の矢印ｔ１及びｔ２に示すように、各色レーザ光（ＲＬ，ＧＬ，ＢＬ）が、液晶パネル２０上を走査する。
そうして結局、本実施形態では、このような３色のレーザ光ＲＬ，ＧＬ，ＢＬに関する走査照射と、人間の視覚能力との関係等から、視認者は、「画素」を１個の単位的構成として、図４に示した色Ｃ１なり、色Ｃ２なりを認識しうることになる。図６の右方には、同図中左方に示す赤色、緑色及び青色の各単色画像を重ね合わせた画像、即ち、視認者が認識するであろう視認対象画像ＶＰが例示されている（なお、実際に３色の光が重ね合わされる画素は“白色”となるはずであるが、紙面上それを表現することは困難であるので、便宜上、図示するような表現となっている。）
【００４５】
他方、上述したようなレーザ光源１０による液晶パネル２０への光照射と同時に、プロジェクタ１は、図４の中段に示すように、前記と同じ画素値Ｘ０から算出された輝度データＹｂに基づき、１個の液晶素子Ｌｄでもって、１個の輝度を表現する。すなわち、図４では、図中左上隅の画素によって輝度Ｙ１をもつ画像が表現され、図中左上隅及び右下隅の画素によって輝度Ｙ２をもつ画像が表現され、図中右下隅の画素によって輝度Ｙ３をもつ画像が表現されている。
ただし、この場合、輝度が表現されるといっても、液晶パネル２０それ自身には発光能力はないので、それは、前述したレーザ光源１０の発光を前提としてのことである。図４の中段に示す例は、仮に、液晶パネル２０に単なる白色光が照射されたとすると、それによって表示されるであろう、いわばモノトーン的な画像（あるいは、明度のみをもつ画像）を表現したものとなっている。例えば、輝度Ｙ１をもつ画像は、透過率が１００〔％〕となるように液晶分子の配向状態が調整された例、輝度Ｙ３をもつ画像は、それよりも若干小さい透過率となるように調整された例、等々を示しているのである。なお、透過率の調整、配向状態の変更は、輝度データＹｂの具体的値の如何に基づき、画素電極２１３及び対向電極２５間にどの程度の電位差が設定されるかによる。
【００４６】
以上の結果、視認者は、レーザ光源１０を発した光のうち、さらに液晶素子Ｌｄを透過してきた光を視認する。すなわち、視認者は、図４中「＋」記号で象徴的に表されているように、図４の最上段及び中段が重ね合わされた画像たる、図４の最下段に示す画像を、最終的には視認することになる。
つまり視認者は、図４に示すように、図中左上隅の画素によって色Ｃ１及び輝度Ｙ１をもつ画像を認識し、図中左下隅の画素によって色Ｃ１及び輝度Ｙ２をもつ画像を認識し、図中右上隅の画素によって色Ｃ２及び輝度Ｙ２をもつ画像を認識し、図中右下隅の画素によって色Ｃ２及び輝度Ｙ３をもつ画像を認識する。
この場合、色表現上は同じ色Ｃ１をもつ画素（即ち、図中左上隅及び左下隅の画素）であっても、輝度がＹ１及びＹ２と異なっていれば、視認者に与える影響は異なることになる。同様のことは、同じ色Ｃ２をもつ画素（即ち、図中右上隅及び右下隅の画素）についてもいえる。また、いま述べたような場合とは逆に、仮に同じ輝度データＹｂによって液晶素子Ｌｄが駆動されたとしても、当該液晶素子Ｌｄへの有機ＥＬ素子Ｅｄからの照射光の色が異なれば、やはり、視認者に与える影響は異なることになる（図中、左下隅及び右上隅の画素を対比参照。）。
要するに、本実施形態においては、色は同じだが輝度ないし明度だけが異なる画像、あるいはその逆に、輝度ないし明度は同じだが色は異なる画像、といったように、より微妙な、あるいはより繊細な画像表現が可能となっているのである。
【００４７】
このような画像構成の様子は、図７に示すような色度図を用いながら説明することも可能である。
図７は、いわゆるｘｙ色度図である。この図において、概ね砲弾型の形で囲われた領域は、人間の認識可能な色の範囲（色域）を表している。その領域の中心付近から周辺に行くほど彩度が大きくなる。また、その領域の周囲を巡る数値は色相を表している。
他方、当該領域内において、三角形で囲われた領域は、ＲＧＢ表色系で表現可能な色域を表している。このうち、符号Ｃｔが付された点は、ホワイト・ポイントである。また、図中記された「赤」、「緑」等々の文字は、そのそれぞれが位置する場所の色を視認者が認識した場合に感じるであろう、概ねの色名を表している。例えば、ｘ＝０．２、ｙ＝０．１あたりの色を視認者が認識する場合、その者は、それを「青」と判断する蓋然性が高い、ということである。
【００４８】
このような図７では、前記砲弾型の形の内部、あるいは前記三角形の内部において、いわば純粋なかたちで（言い換えると、明度の影響のない状態で）、色度ないしは色味が表現されているといえる。
そして、このことは、図４の最上段に示す画像、あるいは図６に示す視認対象画像ＶＰ、即ちレーザ光源１０による色調整ないし色変調と深い関わりがある。つまり、本実施形態に係るレーザ光源１０は、図７に示す色度図上のある所定値をとるｘ及びｙに対応する色を表現している（即ち、発光している）とみることができるのである。例えば、仮に、色データＹｃが、赤色レーザ光源１１Ｒ、緑色レーザ光源１１Ｇ，青色レーザ光源１１Ｂのそれぞれについて、Ｙｃ（Ｒ），Ｙｃ（Ｇ），Ｙｃ（Ｂ）からなるデータとして構成されると仮定するなら、これらＹｃ（Ｒ），Ｙｃ（Ｇ），Ｙｃ（Ｂ）は、表示しようとする色Ｃｊに対応するｘｊ及びｙｊの関数である（即ち、前者は、後者に対して所定の演算・操作等を施すことによって導かれ得る。）、ということが少なくともいえるのである。
【００４９】
一方、図４の中段に示す画像、即ち液晶素子Ｌｄによる輝度調整ないし輝度変調は、図７との関係では、一応、次のように説明可能である。
まず、仮に、前記画素値Ｘ０がＲＧＢ表色系を前提とした色情報をもっているとすれば、このＲＧＢ表色系とｘｙＹ表色系との間には、一般に、
X = 0.607 R + 0.174 G + 0.200 B
Y = 0.299 R + 0.587 G + 0.114 B
Z = 0.000 R + 0.066 G + 1.116 B
という関係があるから、明度Ｙは、このうちの第２式によって求めることが可能である。前述した輝度データＹｂは、このようにして求められたＹに基づいて求められ得ることになる（場合によっては、簡単に、Ｙｂ＝Ｙとしてもよい。）。
ここで、図７中のｘ及びｙの値（色度座標）は、それぞれ、上述のＸ，Ｙ，Ｚを用いて、ｘ＝Ｘ/（Ｘ＋Ｙ＋Ｚ），ｙ＝Ｙ/（Ｘ＋Ｙ＋Ｚ）という換算式によって求めることができるが、Ｙについては、図７の上では表現できない（上述のように、図７は、彩度及び色相を表示するが、明度（輝度）Ｙについては、いわばそれを表示するための領域を欠く）。そこで、上述の明度Ｙないし輝度データＹｂは、図７において紙面を貫く方向に明度の増減を表現する軸（Ｙ軸）をとれば一応表すことが可能になる（図８参照。なお、図８については後に改めて触れる。）。
明度Ｙないし輝度データＹｂと図７との関係は、例えば、以上のように説明される。
【００５０】
なお、図３に示したＹＣ分離回路４０２における、色データＹｃ及び輝度データＹｂの算出処理は、基本的に上に説明したところを基礎とした上で、実行可能である。
例えば、輝度データＹｂは、上述した、ＲＧＢ表色系とｘｙＹ表色系との間の換算式に基づいて求められ、また、色データＹｃは、上述のように、ある特定の値をとるｘ，ｙの関数として、あるいは換言すれば、Ｙｃ＝Ｆ（ｘ，ｙ）（Ｆは適当な演算子）として求められるのである。
なお、後者に関しては、色データＹｃも画素値Ｘ０から求められる値であること（図３及びその説明参照）、また、画素値Ｘ０がＲＧＢ表色系を前提とした色情報をもっている場合、当該色情報は明度に係る情報をもいわば織り込み済みであると考えられること等から、色データＹｃに先んじて輝度データＹｂが算出されている場合には、より厳密に言えば、色データＹｃは、Ｙｃ＝Ｆ（ｘ，ｙ，Ｙｂ）、Ｙｃ＝Ｆ（Ｒ，Ｇ，Ｂ，Ｙｂ）、あるいはより広く、Ｙｃ＝Ｆ（Ｘ０，Ｙｂ）として求められる、ということもできる。
概ね以上のようではあるが、画素値Ｘ０から、色データＹｃ及び輝度データＹｂを求める際の考え方には、上記以外にも様々なものがあり得る。本発明は、基本的に、それらのすべてを包含する。
【００５１】
以上述べたプロジェクタ１によれば、次のような効果が奏される。
（１）  まず、本実施形態に係るプロジェクタ１によれば、レーザ光源１０が、純粋な意味における色度あるいは色味の調整だけを行い、液晶パネル２０が、輝度の調整だけを行うことになるので、色再現を十分に行いながら、なお輝度の調整をも十分に行うことが可能になる。
殊に、本実施形態では、レーザ光源１０が、画像構成光を提供するための単なる発光源としてだけでなく、光変調素子としても機能する点が、従来の技術とは大きく異なる。
【００５２】
このことは、例えば図８の説明から、より明瞭になる。
まず、図８は、図７のｘｙ色度図をいわば寝かせた状態にして、第３軸たるＹ軸を便宜的に一紙面上に表現したものであるが、この図８において、例えば点Ａから点Ｂへの色変調を行う場合を考える。
この際、例えば従来のように、１個のライトバルブだけを用いた色変調を行う場合を考えると、ｘｙ平面に沿った点Ａから点Ｂへの遷移を意図しているにもかかわらず、現実には、図８に示すような点Ａから点Ｂ’への遷移を実現してしまうおそれがあった。その理由は、既に〔発明が解決しようとする課題〕の項で述べた通りである。すなわち、このような場合においては、原理上、光透過率、あるいは発光強度だけの調整を通じて、明度と色合いの双方の調整を行う必要があるため、色度だけを変調したいという意図とは関係なく、意図しない明度の上昇又は下降を生じさせてしまう可能性が大きいのである（なお、図８は、ここに述べたような事情の直感的把握に資するが、当該の図は、既に述べているようにあくまでも“便宜的”な表現である。）。
しかるに、本実施形態では、このような不具合は生じない。これは、既に述べたように、レーザ光源１０が、色の変調ないし調整を専門に受け持つようになっているからである。したがって、点Ａから点Ｂの変調は、図７に示すように、あたかもその紙面上に沿った、それらの点Ａ・Ｂ間の遷移が行われるが如くにして、行われるのである（仮に、図８に示すような点Ｂから点Ｂ’への遷移をも実現したい場合は、それは言うまでもなく、液晶パネル２０が担当することになる。）。
【００５３】
（２）  このように、色及び輝度の調整が別々に行われることに関連して、本実施形態に係るプロジェクタ１においては、輝度データＹｂに、所定期間ごとに、表示しようとする画像の全部又は一部の輝度を０にするようなデータを含ませるようにしておくのが好ましい。このようにしておくと、表示画像の１単位・１単位を仮に時系列に沿って並べて眺めるとするならば、その画像列には、前記所定期間ごとに“黒画像”が挟まれていくことになる。これにより、当該表示画像が例えば動画像であるような場合には、いわゆる動きボケの発生を抑制することが可能となる。
この点、動きボケの解消を図るため、従来の技術では、例えば、所定期間ごとにバックライトを消灯する等の手法を用いるもの等があったが、本実施形態では、色及び輝度調整が独立に行われることを前提として、単に輝度データＹｂの内容の変更・調整を行えばよいことになる。つまり、本実施形態によれば、同じ効果を得るのに、遥かに簡易な手法によることができるという利点が得られるのである。
【００５４】
（３）  さらに、本実施形態に係るプロジェクタ１によれば、色及び輝度を表現するために各別のビット列等からなる色データＹｃ・輝度データＹｂを用いることが可能だから、色調整・輝度調整をより微細に行うことが可能である。この点、前述のような１個のライトバルブによる色・輝度調整を行う場合では、１個のビット列データに、それら色・輝度調整用の双方のデータを含ませる必要があるため、より微細な表現には適していない。
あるいは、本実施形態にかかるプロジェクタ１によれば、画像のコントラスト比を増大させること等も可能になる。これは、理論上は、レーザ光源１０及び液晶パネル２０のコントラスト比の積が、本実施形態に係るプロジェクタ１全体のコントラスト比を決定することになるからである。
【００５５】
以上、本発明に係る実施の形態について説明したが、本発明に係る電気光学装置ないしプロジェクタは、上述した形態に限定されることはなく、各種の変形が可能である。
（１）  上述の実施形態では、レーザ光源１０を構成する各色のレーザ光源（１１Ｒ，１１Ｇ，１１Ｂ）が時分割駆動される結果、図６に示したような、いわば順次的な光照射（即ち、画像構成）が行われるようになっているが、本発明は、かかる形態に限定されない。
例えば、図９及び図１０に示すように、液晶パネル２０に対する光照射は、同時に行われてもよい。
すなわち、この形態では、図９に示すように、各色のレーザ光源（１１Ｒ，１１Ｇ，１１Ｂ）は、１フレーム期間中、いわば相互に同期しながら一斉に駆動されている。このことは、図１０では、図６の時間軸Ｔ１の図示位置が変更されていること（即ち、当該軸の向きが図中下向きから右向きに変更されていること）、及び、図６でも示した照射光走査の様子を表す矢印ｔ１及びｔ２が、各単色画像の中に図示されていること、によって表現されている。
【００５６】
より具体的には、次のようである。
例えば、ある画素についての色データＹｃが、“白色”を表現すべきことを指示しているとするなら、当該画素に対しては、各色のレーザ光（ＲＬ，ＧＬ，ＢＬ）のいずれもが照射されるべきことになる。図１０の各単色画像それぞれの右下隅の画素ＰＩは、かかる規定の下にある画素の例であるが、この場合、各色のレーザ光源（１１Ｒ，１１Ｇ，１１Ｂ）のすべては、この画素ＰＩに対して、同時に且つ同じ時間だけ光を照射することになる。
他方、ある画素についての色データＹｃが、“紫色”を表現すべきことを指示しているとするなら、当該画素に対しては、赤色レーザ光ＲＬ及び青色レーザ光ＢＬは照射されるべきであるが、緑色レーザ光ＧＬは照射されるべきでないことになる。図１０の各単色画像それぞれにおける前記画素ＰＩの、図中直上に位置する画素ＰＩＩは、かかる規定の下にある画素の例であるが、この場合、赤色レーザ光源１１Ｒ及び青色レーザ光源１１Ｂは、同時に且つ同じ時間だけ駆動される一方、これと歩調を合わせて（即ち、シンクロして、あるいは同期して）、緑色レーザ光源１１Ｇは同時間は発光しないように制御される、ということになる。
【００５７】
なお、本実施形態に係るレーザ駆動回路１０１は、上述のように各レーザ光源（１１Ｒ，１１Ｇ，１１Ｂ）を「各別に駆動」するのであるが、いま述べた、赤色レーザ光源１１Ｒ及び青色レーザ光源１１Ｂは発光するが緑色レーザ光源１１Ｇは発光しないという態様が、その「各別に駆動」ということに何ら背反するわけではない。
また、このことは、本発明にいう「複数種類の色の光を、同時に照射」の一例を当然構成する。なお、色データＹｃが、ある画素に関して“赤色”を表示すべきことを指示しており、それに従って、赤色レーザ光源１１Ｒ“のみ”が発光するという場合（図１０の画素ＰＩＩＩ参照）や、あるいは、全部のレーザ光源が駆動されない場合（図１０の画素ＰＩＶ参照）等は、一見すると「複数種類の光を、同時に照射」とはいえないようでもあるが、図１０に示すような光照射が行われる以上は、やはり「複数種類の色を、同時に照射」に含まれる。
【００５８】
このような、いわば同時照射の形態によると次のような効果が奏される。
まず、各色のレーザ光源（１１Ｒ，１１Ｇ，１１Ｂ）による光照射が、図１０に示すように行われるとしても、色調整ないし色変調が、これら各色のレーザ光源（１１Ｒ，１１Ｇ，１１Ｂ）において行われ、かつ、輝度調整ないし輝度変調が、液晶パネル２０において行われるということに変わりはない以上、このような形態においても、前述した実施形態によって奏された作用効果と本質的に異ならない作用効果が奏されることは何ら変わりない。
【００５９】
加えて、この形態では、上述の実施形態に比べて、液晶パネル２０の応答速度を高めることができる。これは、前記実施形態では、ある画素につきＲ，Ｇ，Ｂの３色による光照射が行われるまでは、液晶パネル２０上の当該画素に係る輝度調整状態は一定に維持しておく必要があるが、本形態では、そのような必要がないからである。
このことは、より高品質な画像を表示することに大きく資する。
【００６０】
（２）  上記実施形態では、レーザ光源１０は、赤色光、緑色光及び青色光それぞれ専用のレーザ光源（１１Ｒ，１１Ｇ，１１Ｂ）を含む構成となっているが、本発明は、かかる形態に限定されない。
例えば、レーザ光源としては、単色のレーザ光源（ないしはレーザ素子）のみを含むが、その光路途上に、対応色切換可能なカラーフィルタ、あるいはいわゆるカラー・ホイール等、レーザ光源から発せられた光のうち、その所定の波長の光だけを透過させる着色手段が備えられる態様であってもよい。
また、このような着色手段が仮に設けられるにしても、その場合に、上述した実施形態のような各色別のレーザ光源（１１Ｒ，１１Ｇ，１１Ｂ）の設置可能性が排除されるわけではない。つまり、本発明は、そのような両者を併せ持つ形態に対しても適用が可能である。この場合、例えば、赤色レーザ光源１１Ｒを発した赤色光が、更に赤色用のカラーフィルタ等を透過する、などということになる。このような形態によれば、各色レーザ光源（１１Ｒ，１１Ｇ，１１Ｂ）を構成するレーザ媒質の適切な選択、あるいは、カラーフィルタ等の色調整等を通じて、よりよい、あるいはよりきめ細やかな色度調整、あるいは変調を行い得る可能性が生じる。
【００６１】
（３）  上述の実施形態では、レーザ光源１０を構成するレーザ素子の個数や配列態様等について特に限定しなかったことからも明らかなように、本発明は、それらに関し、特に限定する意図は有しない。すなわち、レーザ光源１０を構成するレーザ素子の個数や配列態様等は、基本的に、自由に定められ得る。
また、図１等においては特に明示されていないが、レーザ光源１０からの光を液晶パネル２０へと導くために、それらの間の光路の全部又は一部に、光ファイバが備えられてもよい。これに関連して、場合によっては、レーザ光源１０からのレーザ光の照度分布を均一化させるため、当該レーザ光源１０の光路下流側に、所定の数及び形状のレンズを含む均一化光学系等、その他の各種の光学要素が設けられてもよい。
上述の実施形態の説明では、レーザ光源１０とスキャニングミラーＭｍとの間、あるいは偏光変換素子３０と液晶パネル２０との間、等々に、適宜、適切な光学系が配置されてよいことにつき既に言及しているが、前記の「光ファイバ」、あるいは「均一化光学系」等は、そのより具体化された一例としての地位をもつ。
【００６２】
（４）  上記実施形態では、色調整・輝度調整のすべてを、レーザ光源１０及び液晶パネル２０の駆動態様の調整によってのみ行う説明がなされているが、本発明は、かかる形態に限定されない。
例えば、色調整・輝度調整は、ガンマ補正等の各種の補正処理の併用を通じて実現することも可能である。これによれば、例えば、レーザ光源１０による色調整、液晶パネル２０による輝度調整に加えて、各種の補正処理による色調整・輝度調整が併せて行われ得ることになり、その結果、更なる微細かつ繊細な色調整・輝度調整が行えることになる。
【００６３】
（５）  上記実施形態では、輝度調整を行うために液晶パネル２０が備えられているが、本発明は、かかる形態に限定されない。
例えば、輝度調整を行うために、液晶パネル２０を用いる方式に代えて、いわゆるデジタル・ライト・プロセッシング（Digital Light Processing（登録商標）。以下「ＤＬＰ」と略す。）方式が採用されてもよい。このＤＬＰ方式では、例えば、その表面上にマトリクス状配列に従って並べられた複数のマイクロミラーを備えるパネル（以下、「ミラーパネル」と称す。）が用いられる（不図示）。
このミラーパネル上のマイクロミラーの各々は、当該ミラーパネルに対する入射光を反射することが可能である。また、これらマイクロミラーのそれぞれは、例えば静電力等を駆動源として、それ自身の姿勢を適宜変更可能である。
以上により、前記マイクロミラーの各々の姿勢、あるいは前記入射光に対するその角度が調整されるのであれば、その各々についての入射光に対する反射率が変わってくることになるので、その結果、輝度が調整ないし変調され得ることになる。例えば、前記入射光の進行方向とマイクロミラーの光反射面とが垂直となるのであれば、当該光は、理論的には全部反射することになるから輝度は概ね１００〔％〕となり、前記進行方向と前記光反射面とが平行となるのであれば、投射レンズ４０（図１参照）への光の進行は事実上遮断されることになるから輝度は概ね０〔％〕となる、などというようである。要するに、このようなミラーパネルは、液晶パネル２０と同様、画素ごとの輝度を変調する光変調素子として機能しうるのである。
本発明においては、このようなミラーパネルが用いられる形態であっても、その範囲内に収める。
なお、以上の説明によって裏付けられるように、本発明にいう「電気光学パネル」なる概念は、いま述べたような「ミラーパネル」をもその範囲内に収め、また、「電気光学パネル」「…の光学的特性が変化する」とは、“前記マイクロミラーの角度変更によってその光反射率が変化する”という事態をも含む。
【図面の簡単な説明】
【００６４】
【図１】本発明の実施の形態に係るプロジェクタの概略構成を示す斜視図である。
【図２】図１のプロジェクタ中の液晶パネルを構成する液晶素子の構造例を示す斜視図である。
【図３】図１のプロジェクタを駆動するための構成を示すブロック図である。
【図４】本実施形態に係るプロジェクタにおいて、視認対象となる画像がどのように構成されるかを説明するための説明図である。
【図５】各色レーザ光源の駆動のタイミングを表すタイミングチャートである。
【図６】各色レーザ光源の駆動のタイミングと、液晶パネル上の画素に対する光照射との関係等を図的に表現した説明図である。
【図７】ｘｙ色度図である。
【図８】図７の色度図を基に、第３軸たる明度（Ｙ）軸を便宜的に一紙面上に表現した図である。
【図９】図５と同趣旨の図であるが、本発明の変形例（レーザ光同時照射）の場合における各色レーザ光源の駆動のタイミングを表すタイミングチャートである。
【図１０】図６と同趣旨の図であるが、図９の変形例（レーザ光同時照射）の場合における各色レーザ光源の駆動のタイミングと、液晶パネル上の画素に対する光照射との関係等を図的に表現した説明図である。
【符号の説明】
【００６５】
１……プロジェクタ、１０……レーザ光源、１１Ｒ……赤色レーザ光源、１１Ｇ……緑色レーザ光源、１１Ｂ……青色レーザ光源、２０……液晶パネル、２１……素子基板、２２……対向基板、Ｌｄ……液晶素子、２１３……画素電極、２５……対向電極、ＬＱ……液晶層、３０……偏光変換素子、４０……投射レンズ、Ｍｍ……スキャニングミラー、１０１……レーザ駆動回路、２０１……ＬＱ駆動回路、４０２……ＹＣ分離回路、Ｃ……制御回路、ＲＬ……赤色レーザ光、ＧＬ……緑色レーザ光、ＢＬ……青色レーザ光
【図１】
2010066538.tif 000003
【図２】
2010066538.tif 000004
【図３】
2010066538.tif 000005
【図４】
2010066538.tif 000006
【図５】
2010066538.tif 000007
【図６】
2010066538.tif 000008
【図７】
2010066538.tif 000009
【図８】
2010066538.tif 000010
【図９】
2010066538.tif 000011
【図１０】
2010066538.tif 000012